【手続補正書】
【提出日】平成29年6月12日(2017.6.12)
【手続補正１】
【補正対象書類名】特許請求の範囲
【補正対象項目名】全文
【補正方法】変更
【補正の内容】
【特許請求の範囲】
【請求項１】
ローカルネットワークのための、無線通信を実装するように構成された第１のインタフェースと、ローカルネットワーク用のインターオペラビリティプロトコルで規定されたコンテンツ共有動作を実装するように構成された第２のインタフェースとを有する相互接続装置であって、
前記相互接続装置が無線接続インタフェースを用いる再生機能と互換性があるものとしてリモート機器により検出できるようにするために、少なくとも一情報要素を送信する送信モジュールと、
無線ネットワークプロトコルのリンクレイヤで規定された、オーディオビジュアルコンテンツアイテムをコーディングし、無線接続により受信モジュールに接続された第２のリモート装置から受信されるデータフレームを受信する受信モジュールと、
前記第２のリモート装置から受信した前記データフレームで受信した前記オーディオビジュアルコンテンツを送信し、同じローカルネットワークに接続された複数機器間でコンテンツを共有するように構成された前記インターオペラビリティプロトコルで規定された機能の実装により、前記第２のリモート装置から受信したコンテンツが前記送信モジュールに接続された第３の装置により再生されるようにする送信モジュールと
を有することを特徴とする、ローカルネットワーク用相互接続装置。
【請求項２】
ローカルネットワークのための前記インターオペラビリティプロトコルは、ＵＰｎＰ／ＤＬＮＡ（登録商標）標準またはこの標準の改訂版により規定されていることを特徴とする、請求項１に記載のローカルネットワーク用相互接続装置。
【請求項３】
無線ネットワークプロトコルの前記リンクレイヤはＭＡＣレイヤであることを特徴とする、
請求項１または２に記載のローカルネットワーク用相互接続装置。
【請求項４】
前記相互接続装置が無線接続インタフェースを用いて再生する機能と互換性があるものとしてリモート機器により検出されるための前記少なくとも一情報要素は、ピアツーピア無線通信標準に含まれる機能宣言サービスで規定されていることを特徴とする、
請求項１ないし３いずれか一項に記載のローカルネットワーク用相互接続装置。
【請求項５】
前記相互接続装置が無線接続インタフェースを用いて再生する機能と互換性があるものとしてリモート機器により検出されるための前記少なくとも一情報要素は、ピアツーピア無線通信標準で規定されているＭＡＣネットワークレイヤの情報要素ＩＥであることを特徴とする、
請求項１ないし４いずれか一項に記載のローカルネットワーク用相互接続装置。
【請求項６】
無線接続インタフェースを用いた前記再生機能は、無線通信インタフェースを介したディスプレイ転送の標準で規定されていることを特徴とする、
請求項１ないし５いずれか一項に記載のローカルネットワーク用相互接続装置。
【請求項７】
無線通信を実装するように構成された第１のインタフェースと、ローカルネットワークのインターオペラビリティプロトコルで規定されたコンテンツ共有動作を実装するように構成された第２のインタフェースとを有するローカルネットワーク用ネットワーキングゲートウェイ装置における、ローカルネットワークの相互接続方法であって、
前記第１のインタフェースが、前記ゲートウェイ装置が無線接続インタフェースを用いる再生機能と互換性があるものとしてリモート機器により検出できるようにするために、少なくとも一情報要素を送信するステップと、
無線ネットワークプロトコルのリンクレイヤで規定された、オーディオビジュアルコンテンツアイテムをコーディングし、無線接続により前記第１のインタフェースに接続された第２のリモート装置から受信されるデータフレームを受信するステップと、
前記第２のリモート装置から前記第２のインタフェースに受信した前記データフレームで受信したコンテンツを送信し、前記第２のリモート装置から受信したコンテンツが、同じローカルネットワークに接続された機器間でコンテンツを共有するように構成された前記インターオペラビリティプロトコルで規定された機能の実装により、前記第２のリモート装置に接続された第３の装置により表示されるようにするステップとを有する、
ローカルネットワークの相互接続方法。
【請求項８】
ローカルネットワークのための前記インターオペラビリティプロトコルは、ＵＰｎＰ／ＤＬＮＡ標準またはこの標準の改訂版により規定されている、請求項７に記載のローカルネットワークの相互接続方法。
【請求項９】
無線ネットワークプロトコルの前記リンクレイヤはＭＡＣレイヤであり、前記ネットワークゲートウェイ装置が無線接続インタフェースを用いて再生する機能と互換性があるものとしてリモート機器により検出されるための情報要素は、ピアツーピア無線通信標準に含まれる機能宣言サービスで規定されていることを特徴とする、請求項７または８に記載のローカルネットワークの相互接続方法。
【請求項１０】
無線接続インタフェースを用いた前記再生機能は、無線通信インタフェースを介したディスプレイ転送の標準で規定されていることを特徴とする、請求項７ないし９いずれか一項に記載のローカルネットワークの相互接続方法。
【請求項１１】
前記コンテンツを送信するステップは、その前にデータのフォーマットを合わせるステップ、及び／または前記オーディオビジュアルコンテンツの変換をするステップを含むことを特徴とする、請求項７ないし１０いずれか一項に記載のローカルネットワークの相互接続方法。
【請求項１２】
データのフォーマットを合わせるステップは、無線通信インタフェースを介したディスプレイ転送の標準と互換性のあるフォーマットから、ＵＰｎＰ／ＤＬＮＡ標準と互換性のあるフォーマットへの移行に対応することを特徴とする、請求項７ないし１１いずれか一項に記載のローカルネットワークの相互接続方法。
【請求項１３】
前記オーディオビジュアルコンテンツを変換するステップは、Ｈ．２６４標準と互換性のあるフォーマットから、ＭＰＥＧ２標準と互換性のあるフォーマットへの移行に対応することを特徴とする、請求項７ないし１２いずれか一項に記載のローカルネットワークの相互接続方法。
【手続補正２】
【補正対象書類名】明細書
【補正対象項目名】００５７
【補正方法】変更
【補正の内容】
【００５７】
最後に、本発明は、ネットワークゲートウェイに限定されず、ローカルネットワーク用の任意の相互接続装置であって、ディスプレイ転送機能との互換性を示す情報要素（ＩＥ）を送信でき、ネットワークプロトコルのリンクレイヤに組み込まれたフレームにより符号化され送信されたオーディオビジュアルコンテンツアイテムを受信できる第１の無線接続インタフェースとを有し、インターオペラビリティプロトコルの実装によりコンテンツ共有するように構成され、接続されたディスプレイ装置上に再生するために（第１のインタフェースにより）受信したコンテンツを再送信できる第２のインタフェースを有する相互接続装置にも適用可能である。
以下の通り付記する。
（付記１）  ローカルネットワークのための、無線通信を実装するように構成された第１のインタフェースと、ローカルネットワーク用のインターオペラビリティプロトコルで規定されたコンテンツ共有動作を実装するように構成された第２のインタフェースとを有する相互接続装置であって、
前記相互接続装置が無線接続インタフェースを用いる再生機能と互換性があるものとしてリモート機器により検出できるようにするために、少なくとも一情報要素を送信する送信モジュールと、
無線ネットワークプロトコルのリンクレイヤで規定された、オーディオビジュアルコンテンツアイテムをコーディングし、無線接続により受信モジュールに接続された第２のリモート装置から受信されるデータフレームを受信する受信モジュールと、
前記第２のリモート装置から受信した前記データフレームで受信した前記オーディオビジュアルコンテンツを送信し、同じローカルネットワークに接続された複数機器間でコンテンツを共有するように構成された前記インターオペラビリティプロトコルで規定された機能の実装により、前記第２のリモート装置から受信したコンテンツが前記送信モジュールに接続された第３の装置により再生されるようにする送信モジュールと
を有することを特徴とする、ローカルネットワーク用相互接続装置。
（付記２）  ローカルネットワークのための前記インターオペラビリティプロトコルは、ＵＰｎＰ／ＤＬＮＡ標準またはこの標準の改訂版により規定されていることを特徴とする、付記１に記載のローカルネットワーク用相互接続装置。
（付記３）  無線ネットワークプロトコルの前記リンクレイヤはＭＡＣレイヤであることを特徴とする、
付記１または２に記載のローカルネットワーク用相互接続装置。
（付記４）  前記相互接続装置が無線接続インタフェースを用いて再生する機能と互換性があるものとしてリモート機器により検出されるための前記少なくとも一情報要素は、ピアツーピア無線通信標準に含まれる機能宣言サービスで規定されていることを特徴とする、
付記１ないし３いずれか一項に記載のローカルネットワーク用相互接続装置。
（付記５）  前記相互接続装置が無線接続インタフェースを用いて再生する機能と互換性があるものとしてリモート機器により検出されるための前記少なくとも一情報要素は、ピアツーピア無線通信標準で規定されているＭＡＣネットワークレイヤの情報要素ＩＥであることを特徴とする、
付記１ないし４いずれか一項に記載のローカルネットワーク用相互接続装置。
（付記６）  無線接続インタフェースを用いた前記再生機能は、無線通信インタフェースを介したディスプレイ転送の標準で規定されていることを特徴とする、
付記１ないし５いずれか一項に記載のローカルネットワーク用相互接続装置。
（付記７）  無線通信を実装するように構成された第１のインタフェースと、ローカルネットワークのインターオペラビリティプロトコルで規定されたコンテンツ共有動作を実装するように構成された第２のインタフェースとを有するローカルネットワーク用ネットワーキングゲートウェイ装置における、ローカルネットワークの相互接続方法であって、
前記第１のインタフェースが、前記ゲートウェイ装置が無線接続インタフェースを用いる再生機能と互換性があるものとしてリモート機器により検出できるようにするために、少なくとも一情報要素を送信するステップと、
無線ネットワークプロトコルのリンクレイヤで規定された、オーディオビジュアルコンテンツアイテムをコーディングし、無線接続により前記第１のインタフェースに接続された第２のリモート装置から受信されるデータフレームを受信するステップと、
前記第２のリモート装置から前記第２のインタフェースに受信した前記データフレームで受信したコンテンツを送信し、前記第２のリモート装置から受信したコンテンツが、同じローカルネットワークに接続された機器間でコンテンツを共有するように構成された前記インターオペラビリティプロトコルで規定された機能の実装により、前記第２のリモート装置に接続された第３の装置により表示されるようにするステップとを有する、
ローカルネットワークの相互接続方法。
（付記８）  ローカルネットワークのための前記インターオペラビリティプロトコルは、ＵＰｎＰ／ＤＬＮＡ標準またはこの標準の改訂版により規定されている、付記７に記載のローカルネットワークの相互接続方法。
（付記９）  無線ネットワークプロトコルの前記リンクレイヤはＭＡＣレイヤであり、前記ネットワークゲートウェイ装置が無線接続インタフェースを用いて再生する機能と互換性があるものとしてリモート機器により検出されるための情報要素は、ピアツーピア無線通信標準に含まれる機能宣言サービスで規定されていることを特徴とする、付記７または８に記載のローカルネットワークの相互接続方法。
（付記１０）  無線接続インタフェースを用いた前記再生機能は、無線通信インタフェースを介したディスプレイ転送の標準で規定されていることを特徴とする、付記７ないし９いずれか一項に記載のローカルネットワークの相互接続方法。
（付記１１）  前記コンテンツを送信するステップは、その前にデータのフォーマットを合わせるステップ、及び／または前記オーディオビジュアルコンテンツの変換をするステップを含むことを特徴とする、付記７ないし１０いずれか一項に記載のローカルネットワークの相互接続方法。
（付記１２）  データのフォーマットを合わせるステップは、無線通信インタフェースを介したディスプレイ転送の標準と互換性のあるフォーマットから、ＵＰｎＰ／ＤＬＮＡ標準と互換性のあるフォーマットへの移行に対応することを特徴とする、付記７ないし１１いずれか一項に記載のローカルネットワークの相互接続方法。
（付記１３）  前記オーディオビジュアルコンテンツを変換するステップは、Ｈ．２６４標準と互換性のあるフォーマットから、ＭＰＥＧ２標準と互換性のあるフォーマットへの移行に対応することを特徴とする、付記７ないし１２いずれか一項に記載のローカルネットワークの相互接続方法。